(57)【要約】【課題】ライブビュー開始準備中に静止画撮影動作が行われた場合に、静止画撮影後の動作を切り替えることによって、使い勝手を向上させる。【解決手段】静止画撮影モードにおいてファインダ撮影モードにあるとき、ＬＶボタン４０２が押下されたか、モードダイヤルスイッチ４０１が動画撮影モードに切り替えられたかしてライブビューの開始指示があると、ライブビューを開始するための所定の条件を満たすか否かをチェックする。ライブビューの開始が不可能である場合に、静止画の撮影準備動作開始が指示されたならば、ライブビューの種類を判定する。その結果、ライブビュー静止画撮影モードである場合、静止画撮影動作を行った後、ライブビューの開始をキャンセルして、ファインダ撮影モードに遷移する一方、ライブビュー動画撮影モードである場合、静止画撮影動作を行った後、ライブビューモードを継続する。【選択図】図１
2010200009.tif 000002
【特許請求の範囲】
【請求項１】
ライブビューの開始指示があると、ライブビューを開始するための所定の条件を満たすか否かを判定する第１の判定手段と、
前記第１の判手段により前記所定の条件を満たさないと判定された場合、静止画の撮影準備動作開始が指示されているか否かを判定する第２の判定手段と、
前記第２の判定手段により静止画の撮影準備動作開始が指示されていると判定された場合、ライブビューの種類を判定する第３の判定手段と、
前記第３の判定手段により動画撮影のためのライブビューであると判定された場合、前記静止画の撮影準備動作開始の指示による動作の後にライブビューモードを継続する一方、前記第３の判定手段により静止画撮影のためのライブビューであると判定された場合、前記静止画の撮影準備動作開始の指示による動作の後にライブビューを行わないモードであるファインダ撮影モードに遷移する制御手段とを備えたことを特徴とする撮像装置。
【請求項２】
前記第１の判手段により前記所定の条件を満たさないと判定された場合、警告を行う警告手段を備えたことを特徴とする請求項１に記載の撮像装置。
【請求項３】
前記所定の条件は、静止画現像中でないという条件、所定箇所の温度が所定温度よりも高温でないという条件、及びストロボ充電中でないという条件のうち少なくともいずれか一つを含むことを特徴とする請求項１又は２に記載の撮像装置。
【請求項４】
撮影モードを切り替えるダイヤルスイッチが静止画撮影モードに設定されている場合、ボタンの押下によりファインダ撮影モードと前記静止画撮影のためのライブビューモードが切り替わる構成であることを特徴とする請求項１乃至３のいずれか１項に記載の撮像装置。
【請求項５】
撮影モードを切り替えるダイヤルスイッチが動画撮影モードに設定されると、前記動画撮影のためのライブビューの開始指示がなされる構成であることを特徴とする請求項１乃至４のいずれか１項に記載の撮像装置。
【請求項６】
ライブビューの開始指示があると、ライブビューを開始するための所定の条件を満たすか否かを判定するステップと、
前記ライブビューを開始するための所定の条件を満たさないと判定された場合、静止画の撮影準備動作開始が指示されているか否かを判定するステップと、
静止画の撮影準備動作開始が指示されていると判定された場合、ライブビューの種類を判定するステップと、
前記ライブビューの種類が動画撮影のためのライブビューであると判定された場合、前記静止画の撮影準備動作開始の指示による動作の後にライブビューモードを継続する一方、前記ライブビューの種類が静止画撮影のためのライブビューであると判定された場合、前記静止画の撮影準備動作開始の指示による動作の後にライブビューを行わないモードであるファインダ撮影モードに遷移するステップとを有することを特徴とする撮像装置の制御方法。
【請求項７】
撮像装置を制御するためのプログラムであって、
ライブビューの開始指示があると、ライブビューを開始するための所定の条件を満たすか否かを判定する第１の判定手段と、
前記第１の判手段により前記所定の条件を満たさないと判定された場合、静止画の撮影準備動作開始が指示されているか否かを判定する第２の判定手段と、
前記第２の判定手段により静止画の撮影準備動作開始が指示されていると判定された場合、ライブビューの種類を判定する第３の判定手段と、
前記第３の判定手段により動画撮影のためのライブビューであると判定された場合、前記静止画の撮影準備動作開始の指示による動作の後にライブビューモードを継続する一方、前記第３の判定手段により静止画撮影のためのライブビューであると判定された場合、前記静止画の撮影準備動作開始の指示による動作の後にライブビューを行わないモードであるファインダ撮影モードに遷移する制御手段としてコンピュータを機能させるためのプログラム。
【請求項８】
請求項７に記載のプログラムを記憶したことを特徴とするコンピュータ読み取り可能な記憶媒体。
【発明の詳細な説明】
【技術分野】
【０００１】
本発明は、撮像装置、その制御方法、プログラム及びコンピュータ読み取り可能な記憶媒体に関し、特に撮影レンズを介した被写体の像を直接的に目視しながら撮影可能な電子カメラに適用して好適なものである。
【背景技術】
【０００２】
近年、被写体の光学像を、撮影レンズを介してＣＣＤ等の固体撮像素子に結像させて、撮像素子により光電変換されて出力される画像信号を、静止画像や動画像として記録媒体等に記録する一眼レフ方式の電子カメラが市販されている。
【０００３】
この種の一眼レフ方式の電子カメラは、ミラー部材を備えている。そして、ミラー部材を、撮影レンズからの光学像を光学ファインダへ導くために、撮影レンズの光路内に配置される第１の位置（ミラーダウン位置）と、撮像素子へ導くために該光路外に配置される第２の位置（ミラーアップ位置）との間で回動する構成となっている。
【０００４】
ミラー部材は、撮影レンズからの被写体像を光学ファインダを介して目視しながら撮影する一眼レフカメラの性質上、前記第１の位置が基本的なポジションとなっている。そして、被写体の像を撮影するとき（画像を取り込むとき）にのみ瞬間的に、前記第２の位置に回動させて、撮影レンズからの光学像を撮像素子に結像させるようにしているのが一般的である。
【０００５】
また最近では、撮影レンズからの像を撮像素子で連続的に撮像し、スルー画像を液晶ディスプレイ等の表示装置に動画表示させる機能（以下、ライブビューと呼称する）や、動画を記録する機能を搭載する一眼レフ方式の電子カメラが市販されている。
【０００６】
ここで、ライブビューや動画記録を行う場合には、被写体の像を撮像素子に継続的に導くため、ミラー部材を前記第２の位置に設定した状態を長く継続する必要がある。
【０００７】
加えて、近年では撮像素子として一千万画素にも及ぶものが採用されていること等から、熱対策等において配慮が必要とされている。例えば、カメラ内部の駆動手段や撮像素子等の発熱部品による温度上昇等があった場合に、カメラがライブビュー開始の禁止、或いは、ライブビュー強制中断等の対策を行っているカメラが存在する。
【０００８】
また、ライブビューを行うためには、上述の通り、撮影レンズからの像を撮像素子で連続的に撮像、及び、現像を行う必要がある。そのため、例えば、静止画連続撮影等によって、カメラ内部の撮像及び現像を行うシステムが使用中のとき、ライブビュー開始の禁止、或いは、ライブビュー強制中断等の対策を行っているカメラが存在する。
【０００９】
電子カメラにおいて、ライブビューを行っている最中のライブビュー強制中断後の処理については、例えば特許文献１に開示されている。特許文献１によれば、ライブビュー開始前の撮影状態を記憶しておき、ライブビューを行っている最中にライブビューが強制中断された場合、記憶していた撮影状態に戻るようにしている。
【００１０】
一方で、上述したことが原因でライブビュー開始が禁止されている場合、ライブビュー開始が指示されてから実際にライブビューが起動するまでの間（以降、ライブビュー開始準備中と呼称する）、ライブビュー開始を待つ警告画面を表示するカメラが存在する。ライブビュー開始を待つ警告画面が表示されている間は、ライブビューのためのミラー駆動が未だ行われていないため、ライブビュー開始準備中に光学ファインダを用いた静止画撮影を可能にするカメラもある。
【先行技術文献】
【特許文献】
【００１１】
【特許文献１】特開２００８−２４５１２９号公報
【発明の概要】
【発明が解決しようとする課題】
【００１２】
しかしながら、従来ではライブビュー開始準備中に静止画撮影の測光動作が行われると、前記警告画面を終了させて、ライブビュー開始指示をキャンセルしていた。そのため、撮影者が動画撮影を目的としてライブビューを開始する場合は、静止画撮影後に再びライブビュー開始指示を行わなければならず、煩わしかった。
【００１３】
また、特許文献１は、ライブビューを行っている最中のライブビュー強制中断後の処理について述べたものであり、ライブビュー開始準備中の静止画撮影後の動作については特に触れられていない。
【００１４】
本発明は上述したような点に鑑みてなされたものであり、ライブビュー開始準備中に静止画撮影動作が行われた場合でも、ユーザのライブビュー開始目的に応じて、静止画撮影後の動作を切り替えることによって、使い勝手を向上させることを目的とする。
【課題を解決するための手段】
【００１５】
本発明の撮像装置は、ライブビューの開始指示があると、ライブビューを開始するための所定の条件を満たすか否かを判定する第１の判定手段と、前記第１の判手段により前記所定の条件を満たさないと判定された場合、静止画の撮影準備動作開始が指示されているか否かを判定する第２の判定手段と、前記第２の判定手段により静止画の撮影準備動作開始が指示されていると判定された場合、ライブビューの種類を判定する第３の判定手段と、前記第３の判定手段により動画撮影のためのライブビューであると判定された場合、前記静止画の撮影準備動作開始の指示による動作の後にライブビューモードを継続する一方、前記第３の判定手段により静止画撮影のためのライブビューであると判定された場合、前記静止画の撮影準備動作開始の指示による動作の後にライブビューを行わないモードであるファインダ撮影モードに遷移する制御手段とを備えたことを特徴とする。
【発明の効果】
【００１６】
本発明によれば、ライブビュー開始待機中に静止画撮影動作が行われた場合でも、ユーザのライブビュー開始目的に応じて、静止画撮影動作後の状態を切り替えることができるので、使い勝手を向上させ、ユーザの撮影動作の効率化が可能になる。
【図面の簡単な説明】
【００１７】
【図１】実施形態に係る一眼レフ方式の電子カメラの回路構成を示すブロック図である。
【図２】モードダイヤルスイッチが静止画撮影モードに設定されている状態において、ライブビューが開始されるメインシーケンスを示すフローチャートである。
【図３】図２におけるファインダ撮影モードの詳細なシーケンスを示すフローチャートである。
【図４】図２及び図３における静止画撮影動作の詳細なシーケンスを示すフローチャートである。
【図５】図２におけるライブビュー開始チェックの詳細なシーケンスを示すフローチャートである。
【図６】モードダイヤルスイッチ及びＬＶボタンの配置関係を示す図である。
【発明を実施するための形態】
【００１８】
以下、添付図面を参照して、本発明の好適な実施形態について説明する。
（第１の実施形態）
図１は、本発明の実施形態に係る撮像装置である一眼レフ方式の電子カメラ１００の回路構成を示すブロック図である。１２はシャッター、１４は撮像素子、１６はＡ／Ｄ変換器、１８はタイミング発生回路、２０は画像処理回路、２２はメモリ制御回路、２４は画像表示メモリ、２６はＤ／Ａ変換器、２８は画像表示部、３０はメモリ、３２は画像圧縮・伸長回路である。
【００１９】
４０はシャッター制御部、４２は測距部、４６は測光部、４８はフラッシュである。５０はシステム制御回路、５２はメモリ、５３は複数の表示部である表示部、５４、５５はＬＣＤ、５６は不揮発性メモリである。
【００２０】
６２はシャッタースイッチＳＷ１、６４はシャッタースイッチＳＷ２、６６は表示内容切替スイッチである。７０は操作部、７２は電源スイッチである。４０１はモードダイヤルスイッチであり、図６（ｂ）に示すように、カメラ１００の上部に設けられている。４０２はライブビュー（ＬＶ）ボタンであり、図６（ａ）に示すように、カメラ１００の背面に設けられている。
【００２１】
８０は電源制御部、８２、８４はコネクタ、８６は電源である。９０はインタフェース、９２はコネクタ、９８は記録媒体着脱検知部である。
【００２２】
１０４は光学ファインダ、１０６は後述するレンズユニット３００とカメラ１００とを機械的に結合させるレンズマウントである。１１０は通信部、１１２はコネクタ（又はアンテナ）である。１２０はインタフェース、１２２はコネクタ、１３０、１３２はミラーである。
【００２３】
２００は記録媒体、２０２は記録部、２０４はインタフェース、２０６はコネクタである。
【００２４】
３００はレンズユニット、３０６はレンズマウント、３１０は撮影レンズ、３１２は絞り、３２０はインタフェース、３２２はコネクタである。３４０は絞り制御部、３４２は測距制御部、３４４はズーム制御部、３５０はレンズ制御回路である。
【００２５】
シャッター１２は、撮像素子１４への露光量を制御し、撮像素子１４は、光学像を電気信号に変換する。レンズ３１０に入射した光線は、一眼レフ方式によって、絞り３１２、レンズマウント３０６及び１０６、ミラー１３０、シャッター１２を介して導かれ、光学像として撮像素子１４上に結合する。
【００２６】
Ａ／Ｄ変換器１６は、撮像素子１４のアナログ信号出力をデジタル信号に変換する。タイミング発生回路１８は、メモリ制御回路２２及びシステム制御回路５０により制御され、撮像素子１４、Ａ／Ｄ変換器１６、Ｄ／Ａ変換器２６にクロック信号や制御信号を供給する。
【００２７】
画像処理回路２０は、Ａ／Ｄ変換器１６からのデータ或いはメモリ制御回路２２からのデータに対して、所定の画素補間処理や色変換処理を行う。また、画像処理回路２０は、必要に応じて、撮像した画像データを用いて所定の演算処理を行う。システム制御部５０は、得られた演算結果に基づいて、システム制御回路５０がシャッター制御部４０、測距部４２に対して制御を行う、ＴＴＬ（スルー・ザ・レンズ）方式のＡＦ（オートフォーカス）処理、ＡＥ（自動露出）処理、ＥＦ（フラッシュ調光）処理を行う。さらに、画像処理回路２０は、撮像した画像データを用いて所定の演算処理を行い、得られた演算結果に基づいて、ＴＴＬ方式のＡＷＢ（オートホワイトバランス）処理も行う。
【００２８】
なお、本実施形態において、測距部４２及び測光部４６を専用に備えている。従って、測距部４２及び測光部４６を用いてＡＦ処理、ＡＥ処理、ＥＦ処理の各処理を行い、画像処理回路２０を用いてＡＦ処理、ＡＥ処理、ＥＦ処理の各処理を行わない構成としても良い。或いは、測距部４２及び測光部４６を用いてＡＦ処理、ＡＥ処理、ＥＦ処理の各処理を行い、さらに、画像処理回路２０を用いてＡＦ処理、ＡＥ処理、ＥＦ処理の各処理を行う構成としても良い。
【００２９】
メモリ制御回路２２は、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。Ａ／Ｄ変換器１６のデータが、画像処理回路２０、メモリ制御回路２２を介して、或いは、Ａ／Ｄ変換器１６のデータが直接メモリ制御回路２２を介して、画像表示メモリ２４或いはメモリ３０に書き込まれる。
【００３０】
画像表示メモリ２４に書き込まれた表示用の画像データは、Ｄ／Ａ変換器２６を介して、ＴＦＴ ＬＣＤ等からなる画像表示部２８により表示される。画像表示部２８を用いて、撮像した画像データを逐次表示すれば、電子ビューファインダ機能を実現することが可能である。また、画像表示部２８は、システム制御回路５０の指示により、任意に表示をＯＮ／ＯＦＦすることが可能であり、表示をＯＦＦにすることによって、カメラ１００の電力消費を低減することができる。
【００３１】
メモリ３０は、撮影した静止画像や動画像のデータを格納するためのメモリであり、所定枚数の静止画像や所定時間の動画像のデータを格納するのに十分な記憶量を備える。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。画像圧縮・伸長回路３２は、適応離散コサイン変換（ＡＤＣＴ）等により、画像データを圧縮伸長する回路であり、メモリ３０に格納された画像を読み込んで圧縮処理或いは伸長処理を行い、処理を終えたデータをメモリ３０に書き込む。
【００３２】
シャッター制御部４０は、測光部４６からの測光情報に基づいて、絞り３１２を制御する絞り制御部３４０と連携しながら、シャッター１２を制御する。測距部４２は、ＡＦ処理を行うための手段であり、レンズ３１０に入射した光線を、一眼レフ方式によって、絞り３１２、レンズマウント３０６及び１０６、ミラー１３０、及び不図示の測距用サブミラーを介して測距部４２に入射させることにより、光学像として結像された画像の合焦状態を測定することができる。測光部４６は、ＡＥ処理を行うための手段であり、レンズ３１０に入射した光線を、一眼レフ方式によって、絞り３１２、レンズマウント３０６及び１０６、ミラー１３０及び１３２及び不図示の測光用レンズを介して、測光部４６に入射させることにより、光学像として結像された画像の露出状態を測定することができる。また、測光部４６は、フラッシュ４８と連携することにより、ＥＦ処理機能も有するものである。フラッシュ４８は、ＡＦ補助光の投光機能、フラッシュ調光機能も有する。
【００３３】
なお、撮像素子１４によって撮像した画像データを画像処理回路２０によって演算した演算結果に基づいて、システム制御回路５０がシャッター制御部４０、絞り制御部３４０、測距制御部３４２に対して制御を行うビデオＴＴＬ方式を用いて、露出制御及びＡＦ制御を行うことも可能である。また、測距部４２による測定結果と、撮像素子１４によって撮像した画像データを画像処理回路２０によって演算した演算結果とを共に用いて、ＡＦ制御を行っても良い。さらに、測光部４６による測定結果と、撮像素子１４によって撮像した画像データを画像処理回路２０によって演算した演算結果とを共に用いて、露出制御を行っても良い。
【００３４】
システム制御回路５０は、カメラ１００全体を制御する。表示部５３は、システム制御回路５０でのプログラムの実行に応じて、文字、画像、音声等を用いて動作状態やメッセージ等を表示する液晶表示装置、或いはスピーカー等の表示部である。表示部５３は、カメラ１００の操作部近辺の視認し易い位置に単数或いは複数個所設置され、例えばＬＣＤやＬＥＤ、発音素子等の組み合わせにより構成される。また、表示部５３は、その一部の機能が光学ファインダ１０４内に設置されている。表示部５３の表示内容のうち、ＬＣＤ５４或いは５５等に表示するものとしては、例えば、ＩＳＯ感度、調光補正値、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、エラー表示、複数桁の数字による情報表示、記録媒体２００の着脱状態表示、レンズユニット３００の着脱状態表示、通信Ｉ／Ｆ動作表示、日付・時刻表示、外部コンピュータとの接続状態を示す表示等がある。また、表示部５３の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り表示、露出補正表示、記録媒体書き込み動作表示等がある。さらに、表示部５３の表示内容のうち、ＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示等がある。さらに、表示部５３の表示内容のうち、ランプ等に表示するものとしては、例えば、セルフタイマー通知ランプ等がある。このセルフタイマー通知ランプは、ＡＦ補助光として共有して用いても良い。
【００３５】
不揮発性メモリ５６は、電気的に消去・記録可能であり、例えばＥＥＰＲＯＭ等が用いられる。操作手段６２、６４、６６及び７０は、システム制御回路５０の各種動作の指示を入力するための手段であり、スイッチやダイヤル、タッチパネル、視線検知によるポインティング、音声認識装置等の単数或いは複数の組み合わせにより構成される。
【００３６】
ここで、これらの操作手段の具体的な説明を行う。シャッタースイッチ６２（ＳＷ１）は、不図示のシャッターボタンの操作途中でＯＮとなり、ＡＦ処理、ＡＥ処理、ＡＷＢ処理、ＥＦ処理等の動作開始を指示する。シャッタースイッチ６４（ＳＷ２）は、不図示のシャッターボタンの操作完了でＯＮとなり、露光処理、現像処理、記録処理という一連の処理の動作開始を指示する。露光処理では、撮像素子１４から読み出した信号をＡ／Ｄ変換器１６、メモリ制御回路２２を介してメモリ３０に画像データを書き込む。現像処理では、画像処理回路２０やメモリ制御回路２２での演算を用いて現像する。記録処理は、メモリ３０から画像データを読み出し、画像圧縮・伸長回路３２で圧縮を行い、記録媒体２００に画像データを書き込む。
【００３７】
表示内容切替スイッチ６６は、ＬＣＤ５４及び５５の表示内容のうち、一部の表示内容を変更することができる。なお、その表示内容を変更する情報、すなわち表示内容切替スイッチ６６の設定状態が表示内容切替情報であって、不揮発性メモリ５６に保存される。
【００３８】
操作部７０は、各種ボタンやタッチパネル等からなり、メニューボタン、セットボタン、録音ボタン、プロテクトボタン、消去ボタン、マクロボタン、ＩＳＯ感度選択ボタン、マルチ画面再生改ページボタン、フラッシュ設定ボタン、単写／連写／セルフタイマー切替ボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時刻設定ボタン、パノラマモード等の撮影及び再生を実行する際に、各種機能の決定及び実行を設定する決定／実行ボタン、画像データを保存するフォルダの作成を行うフォルダ作成ボタン、撮影した画像データを保存するフォルダを変更するフォルダ選択／切替ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生スイッチ、シャッタースイッチＳＷ１を押した場合にオートフォーカス動作を開始し、一旦合焦したらその合焦状態を保ち続けるワンショットＡＦモードとシャッタースイッチＳＷ１を押している間は連続してオートフォーカス動作を続けるサーブＡＦモードとを設定することができるＡＦモード設定スイッチ、自動撮影モード・プログラム撮影モード・シャッター速度優先撮影モード・絞り優先撮影モード・マニュアル撮影モード・焦点深度優先（デプス）撮影モード・ポートレート撮影モード・風景撮影モード・被写撮影モード・スポーツ撮影モード・夜景撮影モード・パノラマ撮影モード等の各機能撮影モードを切替設定することができるモードダイヤルスイッチ、撮影モード状態において撮影した画像をメモリ３０或いは記録媒体２００から読み出して画像表示部２８によって表示する再生動作の開始を指示する再生スイッチ等がある。また、上記プラスボタン及びマイナスボタンの各機能は、回転ダイヤルスイッチを備えることによって、より軽快に数値や機能を選択することが可能となる。
【００３９】
電源スイッチ７２は、カメラ１００の電源ＯＮ、電源ＯＦＦの各モードを切り替え設定することができる。また、カメラ１００に接続されたレンズユニット３００、外部ストロボ、記録媒体２００等の各種付属装置の電源ＯＮ、電源ＯＦＦの設定も合わせて、切り替え設定することができる。
【００４０】
電源制御部８０は、電池検出回路、ＤＣ−ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。電源８６は、アルカリ電池やリチウム電池等の一次電池や、ＮｉＣｄ電池やＮｉＭＨ電池、Ｌｉ電池等の二次電池、ＡＣアダプタ等からなる。
【００４１】
インタフェース９０、コネクタ９２は、メモリカードやハードディスク等の記録媒体２００とカメラ１００との接続を行い、記録媒体着脱検知部９８は、コネクタ９２に記録媒体２００が装着されているか否かを検知する。なお、本実施形態では、記録媒体を取り付けるインタフェース及びコネクタを１系統持つものとして説明している。もちろん、記録媒体を取り付けるインタフェース及びコネクタは、単数或いは複数、いずれの系統数を備える構成としても良い。また、異なる規格のインタフェース及びコネクタを組み合わせて備える構成としても良い。インタフェース及びコネクタとしては、ＰＣＭＣＩＡカードやＣＦ（コンパクトフラッシュ（登録商標）（Ｒ））カード等の規格に準拠したものを用いて構成しても良い。さらに、インタフェース９０、そしてコネクタ９２をＰＣＭＣＩＡカードやＣＦ（コンパクトフラッシュ（Ｒ））カード等の規格に準拠したものを用いて構成しても良い。この場合、ＬＡＮカードやモデムカード、ＵＳＢカード、ＩＥＥＥ１３９４カード、Ｐ１２８４カード、ＳＣＳＩカードＰＨＳ等の通信カード、等の各種通信カードを接続することにより、他のコンピュータやプリンタ等の周辺機器との間で、画像データや画像データに付属した管理情報を転送し合うことができる。
【００４２】
光学ファインダ１０４は、レンズ３１０に入射した光線を、一眼レフ方式によって、絞り３１２、レンズマウント３０６及び１０６、ミラー１３０及び１３２を介して導き、光学像として結像表示する。これにより、画像表示部２８による電子ビューファインダ機能を使用すること無しに、光学ファインダ１０４のみを用いて撮影を行うことが可能である。また、光学ファインダ１０４内には、表示部５３の一部の機能、例えば、合焦表示、手振れ警告表示、フラッシュ充電表示、シャッタースピード表示、絞り値表示、露出補正表示等が設置されている。
【００４３】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信機能を有する。コネクタ（或いは無線通信の場合はアンテナ）１１２は、通信部１１０によりカメラ１００を他の機器と接続する。
【００４４】
インタフェース１２０は、レンズマウント１０６内において、カメラ１００をレンズユニット３００と接続するためのインタフェース、コネクタ１２２は、カメラ１００をレンズユニット３００と電気的に接続するコネクタである。コネクタ１２２は、カメラ１００とレンズユニット３００との間で制御信号、状態信号、データ信号等を伝え合うとともに、各種電圧の電流を供給する機能も備えている。また、コネクタ１２２は電気通信のみならず、光通信、音声通信等を伝達する構成としても良い。
【００４５】
ミラー１３０、１３２は、レンズ３１０に入射した光線を、一眼レフ方式によって光学ファインダ１０４に導くことができる。なお、ミラー１３２は、クイックリターンミラーの構成としても、ハーフミラーの構成としても、どちらでも良い。
【００４６】
記録媒体２００は、メモリカードやハードディスク等である。記録媒体２００は、半導体メモリや磁気ディスク等から構成される記録部２０２、カメラ１００とのインタフェース２０４、カメラ１００と接続を行うコネクタ２０６を備えている。
【００４７】
レンズユニット３００は、交換レンズタイプのレンズユニットである。レンズマウント３０６は、レンズユニット３００をカメラ１００と機械的に結合する。レンズマウント３０６内には、レンズユニット３００をカメラ１００と電気的に接続する各種機能が含まれる。インタフェース３２０は、レンズマウント３０６内において、レンズユニット３００をカメラ１００と接続するためのインタフェース、コネクタ３２２は、レンズユニット３００をカメラ１００と電気的に接続するコネクタである。コネクタ３２２は、カメラ１００とレンズユニット３００との間で制御信号、状態信号、データ信号等を伝え合うとともに、各種電圧の電流を供給される或いは供給する機能も備える。また、コネクタ３２２は電気通信のみならず、光通信、音声通信等を伝達する構成としても良い。
【００４８】
絞り制御部３４０は、測光部４６からの測光情報に基づいて、シャッター１２を制御するシャッター制御部４０と連携しながら、絞り３１２を制御する。測距制御部３４２は、撮影レンズ３１０のフォーカシングを制御し、ズーム制御部３４４は、撮影レンズ３１０のズーミングを制御する。レンズシステム制御回路３５０は、レンズユニット３００全体を制御する。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各種設定値、等を保持する不揮発性メモリの機能も備えている。
【００４９】
モードダイヤルスイッチ４０１は、静止画を撮影する静止画撮影モード、動画を撮影する動画撮影モード等の各機能モードに切り替え設定することができる。
【００５０】
ここで、静止画撮影モードとは、静止画を撮影するためのモードである。静止画撮影モードに設定されている場合、ＬＶボタン４０２を押下することにより、ファインダ撮影モードとライブビューモード（ライブビュー静止画撮影モード）に切り替えることができる。ファインダ撮影モードとは、ライブビューを行わずに、光学ファインダ１０４を用いて被写体を確認しながら静止画撮影を行う状態である。また、ライブビュー静止画撮影モードとは、シャッタースイッチ６２、６４による撮影指示の前に、撮像素子１４を用いて被写体の光学像から置き換えられた電子信号に基づいた画像（スルー画像）を、ほぼリアルタイムで画像表示部２８に表示し、そのスルー画像を用いて被写体を確認しながら静止画撮影を行う状態である。すなわち、いわゆる電子ビューファインダ機能（ＥＶＦ）の一種である。
【００５１】
また、動画撮影モードとは、動画を撮影するためのモードである。モードダイヤルスイッチ４０１を動画撮影モードに切り替えると、動画撮影モードに設定されるとともに、ライブビューモード（ライブビュー動画撮影モード）になる。ライブビュー動画撮影モードとは、画像表示部２８にスルー画像を連続的に表示させた状態であり、動画撮影開始の待機状態である。この状態でＬＶボタン４０２を押下することにより、動画撮影の開始・終了を指示することができる。
【００５２】
次に、図２〜５を参照して、本実施形態に係るカメラ１００の動作について説明する。
（メインシーケンス）
図２は、カメラ１００のモードダイヤルスイッチ４０１が静止画撮影モードに設定されている状態において、ライブビューが開始されるメインシーケンスを示すフローチャートである。このフローチャートにおける各処理は、システム制御回路５０が不揮発性メモリ５６等に格納されたプログラムをメモリ５２に展開して実行することにより実現される。
【００５３】
まず、モードダイヤルスイッチ４０１が静止画撮影モードに設定されている状態で、カメラ１００の電源を入れると、ステップＳ１００１でファインダ撮影モードとなる。ファインダ撮影モードにおける処理の詳細は図３を用いて後述する。ファインダ撮影モードにおいて、ＬＶボタン４０２が押下されたか、モードダイヤルスイッチ４０１が動画撮影モードに切り替えられたかしてライブビューの開始指示があると、ファインダ撮影モードを終了する。
【００５４】
次に、ステップＳ１００２で、ライブビューを開始するための所定の条件を満たすか否かをチェックする。このチェックの処理の詳細は図５を用いて後述する。ライブビューの開始が可能である場合、警告表示フラグをＯＦＦに設定し、ライブビューの開始が不可能である場合、警告表示フラグをＯＮに設定する。
【００５５】
次に、ステップＳ１００３で、ステップＳ１００２において設定された警告表示フラグがＯＮかＯＦＦかを判定する。警告表示フラグＯＮであると判定された場合、ステップＳ１００４へ進む。警告表示フラグがＯＦＦであると判定された場合、ステップＳ１００９へ進み、ライブビューを開始する。ここまでの処理が、本発明でいう第１の判定手段による処理例である。
【００５６】
ステップＳ１００４では、ライブビューの開始が不可能である旨の警告画面を画像表示部２８に表示する。次に、ステップＳ１００５で、ステップＳ１００４における警告表示中に、カメラ１００のシャッタースイッチＳＷ１がＯＮになったか否か、つまり、静止画の撮影準備動作開始が指示されたか否かを判定する。この処理が、本発明でいう第２の判定手段による処理例である。静止画の撮影準備動作開始が指示された場合、ステップＳ１００６へ進む。静止画の撮影準備動作開始が指示されていない場合、ステップＳ１００２へ遷移し、再度ライブビューの開始が可能か否かの判定を行う。
【００５７】
ステップＳ１００６では、ステップＳ１００４において表示した警告表示を消す。次に、ステップＳ１００７で、開始指示がなされたライブビューの種類を判定する。ライブビューの種類とは、静止画撮影を目的とする（静止画撮影のための）ライブビュー静止画撮影モード、及び、動画撮影を目的とする（動画撮影のための）ライブビュー動画撮影モードを指す。この処理が、本発明でいう第３の判定手段による処理例である。
【００５８】
ステップＳ１００７においてライブビューの種類がライブビュー静止画撮影モードである場合、後述する図３のファインダ撮影モードのステップＳ１１０４へ進み、静止画撮影動作を行う。この場合、ステップＳ１１０４を終了すると、ステップＳ１１０２へ遷移する。つまり、ライブビューの開始をキャンセルして、ファインダ撮影モードに遷移する。再度ライブビューを開始するには、ライブビューの開始指示の操作が必要となる。この場合、ＬＶボタン４０２が押下によりファインダ撮影モードとライブビューモードが切り替わる構成となっている。そのため、ユーザはＬＶボタン４０２の位置或いはモードダイヤルスイッチ４０１の位置からファインダ撮影モードであるかライブビューモードであるかわからないので、ボタン位置に矛盾は生じない。
【００５９】
一方、ステップＳ１００７においてライブビューの種類がライブビュー動画撮影モードである場合、ステップＳ１００８へ進み、静止画撮影動作を行う。この静止画撮影動作の処理の詳細については図４を用いて後述する。この場合、ステップ１００８を終了すると、ステップＳ１００２へ遷移する。つまり、ユーザからライブビューの開始指示が再度行われなくとも、再度ライブビューの開始が可能か否かの判定を行う。この場合、モードダイヤルスイッチ４０１が動画撮影モードに切り替えられることによりライブビューモードが切り替わる構成となっている。すなわち、モードダイヤルスイッチ４０１が物理的に動画撮影モードを指した位置になっているため、ライブビューモードを継続することにより、ダイヤル位置に矛盾が生じない。
【００６０】
（ファインダ撮影モード）
図３は、図２におけるファインダ撮影モード（ステップＳ１００１）の詳細なシーケンスを示すフローチャートである。このフローチャートにおける各処理は、システム制御回路５０が不揮発性メモリ５６等に格納されたプログラムをメモリ５２に展開して実行することにより実現される。
【００６１】
まず、ステップＳ１１０１で、ファインダ撮影に必要な情報をＬＣＤ５４或いは５５に表示する。次に、ステップＳ１１０２で、ライブビューの開始指示がなされたか否かを判定する。具体的には、ＬＶボタン４０２が押下されたか、モードダイヤルスイッチ４０１が動画撮影モードに切り替えられたかを判定する。ライブビューの開始指示があると、図２のステップ１００２へ遷移する。ライブビューの開始指示がなければ、ステップＳ１１０３へ進む。
【００６２】
ステップＳ１１０３では、カメラ１００のシャッタースイッチＳＷ１がＯＮになったか否か、つまり、静止画の撮影準備動作開始が指示されたか否かを判定する。静止画の撮影準備動作開始が指示された場合、ステップＳ１１０４へ進む。静止画の撮影準備動作開始が指示されていない場合、ステップＳ１００２へ遷移し、再度ライブビューの開始が可能か否かの判定を行う。
【００６３】
次に、ステップＳ１１０４で、静止画撮影動作を行う。この静止画撮影動作の処理の詳細については図４を用いて後述する。ステップＳ１１０４を終了すると、ステップＳ１１０２へ遷移する。
【００６４】
（静止画撮影動作）
図４は、図２及び図３における静止画撮影動作（ステップＳ１００８、Ｓ１１０４）の詳細なシーケンスを示すフローチャートである。このフローチャートにおける各処理は、システム制御回路５０が不揮発性メモリ５６等に格納されたプログラムをメモリ５２に展開して実行することにより実現される。
【００６５】
まず、ステップＳ１２０１で、カメラ１００は測光動作を行う。次に、ステップＳ１２０２で、カメラ１００のシャッタースイッチＳＷ２がＯＮになったか否か、つまり、撮影動作が指示されたか否かを判定する。撮影動作が指示された場合、ステップＳ１２０３へ進む。ステップＳ１２０３では、図１のブロック図を用いて既述したとおり、各ブロックを制御して撮影動作（本撮影）を行う。すなわち、撮像素子１４からの信号をＡ／Ｄ変換し、現像、圧縮処理等を行い、記録媒体２００に記録する。この現像、圧縮処理には時間がかかる場合があるが、この完了を待たずに（現像、圧縮処理は継続したまま）次のステップへ進み、静止画撮影動作処理を終了することができる。一方、撮影動作が指示されていない場合、ステップＳ１２０４へ遷移する。
【００６６】
ステップＳ１２０４では、ステップＳ１００５或いはＳ１１０３において行われた撮影準備動作開始の指示が継続されているか否かを判定する。撮影準備動作開始の指示が継続されている場合、ステップＳ１２０２へ遷移する。撮影準備動作開始の指示が継続されていない場合、図４の静止画撮影動作を終了する。
【００６７】
以上が、本実施形態における静止画撮影動作であるが、静止画撮影の種類としては、ストロボ撮影、静止画単写撮影、静止画連写撮影を行っても良い。
【００６８】
（ライブビュー開始チェック）
図５は、図２におけるライブビュー開始チェック（ステップＳ１００２）の詳細なシーケンスを示すフローチャートである。このフローチャートにおける各処理は、システム制御回路５０が不揮発性メモリ５６等に格納されたプログラムをメモリ５２に展開して実行することにより実現される。
【００６９】
まず、ステップＳ１５０１で、カメラ１００の状態が、静止画現像中であるか否かを判定する。静止画現像中であると判定された場合、ステップＳ１５０４へ進み、警告表示フラグをＯＮに設定する。静止画現像中でないと判定された場合、ステップＳ１５０２へ進む。
【００７０】
ステップＳ１５０２では、カメラ１００の状態が、所定箇所（例えば撮像素子１４の近傍等）の温度が所定温度よりも高温であるか否かを判定する。所定温度よりも高温であると判定された場合、ステップＳ１５０４へ進み、警告表示フラグをＯＮに設定する。所定温度よりも高温でないと判定された場合、ステップＳ１５０３へ進む。
【００７１】
ステップＳ１５０３では、カメラ１００の状態が、ストロボ充電中であるか否かを判定する。ストロボ充電中であると判定された場合、ステップＳ１５０４へ進み、警告表示フラグをＯＮに設定する。ストロボ充電中でないと判定された場合、ステップＳ１５０５へ進み、警告表示フラグをＯＦＦに設定する。以上が、本実施形態におけるライブビュー開始時のチェックである。
【００７２】
本実施形態では、静止画現像中であるか否か、所定温度よりも高温であるか否か、ストロボ充電中であるか否かのチェックを示したが、これは本発明における様態の一つである。チェックの内容や数や順序は、本実施形態のライブビュー開始チェック内容で提示した内容や数や順序に限定されない。
【００７３】
以上のように、ライブビュー開始準備中にファインダ撮影を行う場合、そのライブビューが静止画撮影のためのライブビューであれば、ライブビューの開始をキャンセルして、現在のファインダ撮影動作を優先させる。一方で、そのライブビューが動画撮影のためのライブビューであれば、動画撮影を優先させるために、ファインダ撮影動作後はそのままライブビューに遷移させる。これにより、ユーザの目的に応じて、ファインダ撮影動作後の状態を切り替えることで、ユーザの撮影動作の効率化を図ることができる。
【００７４】
以上述べたように、本発明は、デジタル一眼レフカメラに代表される撮像装置が、ライブビュー開始準備中にファインダ撮影動作を行った場合に、開始するライブビューの種類に応じて、前記ファインダ撮影動作後の状態を切り替えることを特徴としている。
【００７５】
ここでいう撮像装置とは、光学像をフイルムのような感光材料に記録、或いは電気信号に置き換える撮像手段を有し、置き換えた電気信号を記録もしくは外部へ送信することが可能な装置を言う。例えば撮像手段にＣＭＯＳ（相補形金属酸化膜半導体）イメージセンサやＣＣＤ（電荷結合素子）イメージセンサ等の撮像素子を用いて被写体の光学像を電気信号に置き換え、これを画像データとして記録する装置等が挙げられる。例えばデジタルスチルカメラのように静止画を主に撮影するもの、デジタルビデオのように主に動画を撮影するものを含む。また、デジタルビデオ、デジタルカメラのように撮像した画像データを装置内に記録する手段を備えるもの、監視カメラのように外部に画像データを送信するものも含む。撮像した画像データを記録する手段としてはコンパクトフラッシュ（登録商標）メモリ等のようなフラッシュメモリ、ＤＶＣテープ、ＤＶＤ−Ｒのような媒体等既存のものを利用できる。撮像した画像データを送信する手段は有線ＬＡＮ（ローカルエリアネットワーク）、無線ＬＡＮ、ＵＳＢ（ユニバーサルシリアルバス）等既存の方法を利用可能である。
【００７６】
ここでいうライブビュー開始準備中とは、ライブビューの開始が指示されてから実際にライブビューが起動するまでの間の状態である。この間、表示装置に画面を表示させなくても良いが、ライブビュー開始準備中であることや、すぐにライブビュー開始できない理由を通知することが好ましく、その旨の警告画面を表示しても良い。
【００７７】
ライブビューを開始できない理由としては、例えば撮像装置内部の駆動手段や撮像素子等の発熱部品が、ライブビュー開始可能な温度になっているか否かをチェックする。或いは、ライブビューに用いるスルー画像を生成するための現像処理が可能か否かをチェックする。
【００７８】
さらに、ライブビュー開始処理中は、ライブビューのためのミラー駆動は未だ行われていないため、この状態でもファインダ撮影動作が可能である。
【００７９】
なお、上述した実施の形態の処理は、各機能を具現化したソフトウェアのプログラムコードを記録した記憶媒体をシステム或いは装置（カメラ１００）に提供して実現しても良い。そして、そのシステム或いは装置のコンピュータ（又はＣＰＵやＭＰＵ）が記憶媒体に格納されたプログラムコードを読み出し実行することによって、上述した実施形態の機能を実現することができる。この場合、記憶媒体から読み出されたプログラムコード自体が上述した実施形態の機能を実現することになり、そのプログラムコードを記憶した記憶媒体は本発明を構成することになる。このようなプログラムコードを供給するためのコンピュータ読み取り可能な記憶媒体としては、例えば、フロッピィ（登録商標）ディスク、ハードディスク、光ディスク、光磁気ディスク等を用いることができる。或いは、ＣＤ−ＲＯＭ、ＣＤ−Ｒ、磁気テープ、不揮発性のメモリカード、ＲＯＭ等を用いることもできる。
【００８０】
また、コンピュータが読み出したプログラムコードを実行することにより、上述した各実施の形態の機能が実現されるだけではない。そのプログラムコードの指示に基づき、コンピュータ上で稼動しているＯＳ（オペレーティングシステム）等が実際の処理の一部又は全部を行い、その処理によって上述した各実施例の機能が実現される場合も含まれている。
【００８１】
さらに、記憶媒体から読み出されたプログラムコードが、コンピュータに挿入された機能拡張ボードやコンピュータに接続された機能拡張ユニットに備わるメモリに書きこまれても良い。その後、そのプログラムコードの指示に基づき、その機能拡張ボードや機能拡張ユニットに備わるＣＰＵ等が実際の処理の一部又は全部を行い、その処理によって上述した各実施の形態の機能が実現される場合も含むものである。
【図１】
2010200009.tif 000003
【図２】
2010200009.tif 000004
【図３】
2010200009.tif 000005
【図４】
2010200009.tif 000006
【図５】
2010200009.tif 000007
【図６】
2010200009.tif 000008